(57)【要約】【課題】一方のケースと他方のケースとをロックするロック装置の部品を容易に且つ安価に製造でき、しかもロック操作が容易な制御基板収納ボックス、及びこの制御基板収納ボックスを備えた遊技機を提供する。【解決手段】本発明は、一方のケース３と他方のケース５とをロックするロック装置７とを備えた制御基板収納ボックス１であって、ロック装置７は一方のケース３に設けて他方のケース５に向けて突出する棒状又は板状の金属製の係止部材１３と、他方のケース５に設けた案内部２１と被係止部１７と屈曲部２５とを備え、案内部２１は係止部材１３の先端部１３ｂの挿入を案内し、屈曲部２５は案内部２１に連続して設けてあり挿入された係止部材１３の先端部を屈曲し、被係止部１７は屈曲した係止部材１３の先端部１３ｂに係止する。【選択図】図１
2014151110.tif 000002
【特許請求の範囲】
【請求項１】
制御基板を収納する樹脂製の一方のケースと、一方のケースに装着する樹脂製の他方のケースと、一方のケースと他方のケースとをロックするロック装置とを備えた制御基板収納ボックスであって、ロック装置は一方のケースに設けて他方のケースに向けて突出する棒状又は板状の金属製の係止部材と、他方のケースに設けた案内部と被係止部と屈曲部とを備え、案内部は係止部材の先端部の挿入を案内し、屈曲部は案内部に連続して設けてあり挿入された係止部材の先端部を屈曲し、被係止部は屈曲した係止部材の先端部に係止することを特徴とする制御基板収納ボックス。
【請求項２】
前記被係止部は、他方のケースに設けた金属製の被係止部材であり、一方のケースは円筒形状の凹部を有し、前記案内部は凹部の側壁であり、前記屈曲部は凹部の側壁と底面とが成すコーナー部であり、前記被係止部材は前記凹部の底との間に隙間をあけて他方のケースに固定してあり、係止部材の屈曲した先端部が凹部の底と前記被係止部材との間の前記隙間に入り込んでいることを特徴とする請求項１に記載の制御基板収納ボックス。
【請求項３】
前記係止部材は先端部に孔又は凹状の係止部を有し、他方のケースは凹部を有し、前記案内部は凹部の側壁であり、前記屈曲部は凹部の側壁と底とが成すコーナー部であり、前記被係止部は凹部の底に突設して設けてあり、前記係止部材の係止部が前記屈曲部で屈曲すると共に弾性変形して前記被係止部を乗り越えた後に、弾性復帰して前記被係止部に係止することを特徴とする請求項１に記載の制御基板収納ボックス。
【請求項４】
請求項１〜３の何れかに記載の制御基板収納ボックスを内部に設けたことを特徴とする遊技機。
【発明の詳細な説明】
【技術分野】
【０００１】
本発明は、ロック装置を備えた遊技機用の制御基板収納ボックス及びこの制御基板収納ボックスを備えた遊技機に関する。
【背景技術】
【０００２】
一般に、パチンコ機やスロットマシン等の遊技機には、いわゆる当たり回数を制御する制御基板が不正に取り出されて改造や交換がされないようにする為、制御基板を収納した一方のケースと他方のケースをロックするロック装置を設け、ロック装置により不正解除されるのを防止した制御基板収納ボックスが公知である。
【０００３】
この種の技術として、特許文献１の制御基板収納ボックスでは、一方のケースに係止部材を設け、他方のケースに被係止部材を設けて、係止部材の先端部にはその側面に係止片を突設して矢尻状に形成し、被係止部材は側壁を内周側に折り返して形成してあると共に係止部材の先端部が通過可能な切除部が形成してあり、係止部材の先端部を被係止部材の切除部から挿入した後、係止部材を所定角度回転させて係止片の位置を変えることにより、折り返し部の端が係止部材の係止片に係止することが開示されている。
【先行技術文献】
【特許文献】
【０００４】
【特許文献１】特開２００７−１４５５８号公報
【発明の概要】
【発明が解決しようとする課題】
【０００５】
しかし、特許文献１の技術では、係止部材の先端部の側面に突設する係止片を形成する必要があり、この係止片の加工に手間がかかるという問題があった。特に、係止片は係止部材に一体に形成する必要があるので、鋳型や切削加工が必要になるため、製造し難いと共に高価になるという問題があった。
また、ロック操作時には、係止部材の係止片を被係止部材の切除部から被係止部材に挿入し、その後被係止部材を回転させて係止片の位置を変える操作が必要なので、ロック操作他に手間がかかるという問題があった。
【０００６】
そこで、本発明は、一方のケースと他方のケースとをロックするロック装置の部品を容易に且つ安価に製造でき、しかもロック操作が容易な制御基板収納ボックス、及びこの制御基板収納ボックスを備えた遊技機の提供を目的とする。
【課題を解決するための手段】
【０００７】
前記課題を解決するために、請求項１に記載された発明は、制御基板を収納する樹脂製の一方のケースと、一方のケースに装着する樹脂製の他方のケースと、一方のケースと他方のケースとをロックするロック装置とを備えた制御基板収納ボックスであって、ロック装置は一方のケースに設けて他方のケースに向けて突出する棒状又は板状の金属製の係止部材と、他方のケースに設けた案内部と被係止部と屈曲部とを備え、案内部は係止部材の先端部の挿入を案内し、屈曲部は案内部に連続して設けてあり挿入された係止部材の先端部を屈曲し、被係止部は屈曲した係止部材の先端部に係止することを特徴とする制御基板収納ボックスである。
【０００８】
請求項２に記載された発明は、請求項１に記載の発明において、前記被係止部は、他方のケースに設けた金属製の被係止部材であり、一方のケースは円筒形状の凹部を有し、前記案内部は凹部の側壁であり、前記屈曲部は凹部の側壁と底面とが成すコーナー部であり、前記被係止部材は前記凹部の底との間に隙間をあけて他方のケースに固定してあり、係止部材の屈曲した先端部が凹部の底と前記被係止部材との間の前記隙間に入り込んでいることを特徴とする。
【０００９】
請求項３に記載された発明は、請求項１に記載の発明において、前記係止部材は先端部に孔又は凹状の係止部を有し、他方のケースは凹部を有し、前記案内部は凹部の側壁であり、前記屈曲部は凹部の側壁と底とが成すコーナー部であり、前記被係止部は凹部の底に突設して設けてあり、前記係止部材の係止部が前記屈曲部で屈曲すると共に弾性変形して前記被係止部を乗り越えた後に、弾性復帰して前記被係止部に係止することを特徴とする。
【００１０】
請求項４に記載された発明は、請求項１〜３の何れか一項に記載の制御基板収納ボックスを内部に設けたことを特徴とする遊技機である。
【発明の効果】
【００１１】
請求項１に記載の発明によれば、ロック装置では、一方のケースに設けた係止部材は棒状又は板状を成しており、係止部材を他方のケースに設けた案内部に挿入することで、係止部材の先端部が案内部で案内されつつ屈曲部で屈曲して被係止部に係止される。
したがって、係止部材はロック操作時に形を変えるものであるから、特に複雑な形状に加工をする必要がなく、棒状又は板状という極めて簡単な形状とすることができるので、部品の製造が容易にできる。
しかも、ロック操作は係止部材を挿入するだけなので、ロック操作が容易である。
一方のケースには係止部材を設けているだけという簡易な構成なので、外部から不正操作された場合にその跡が発見しやすい。
【００１２】
請求項２に記載の発明によれば、請求項１に記載の発明と同様な効果を奏すると共に、金属製の被係止部材は他方のケースに設けた底との間に間隔をあけて他方のケースに固定するだけであるからこの点においても簡易な構造にできる。
他方のケースに対して一方のケースを引き離そうとした場合には、係止部材の屈曲した先端部が金属製の被係止部材に係止するので、強固に係止できると共に係止部材の屈曲した先端部を、治具を用いて外部から不正操作するのを阻止できる。
【００１３】
請求項３に記載の発明によれば、請求項１に記載の発明と同様な効果を奏すると共に、係止部材はその先端部にある孔又は凹状の係止部を突設部に係止するので、更に強固に係止部材を固定することができる。
【００１４】
請求項４に記載の発明によれば、請求項１〜３の何れか一項に記載の効果を奏する制御基板収納ボックスを備えた遊技機を提供できる。
【図面の簡単な説明】
【００１５】
【図１】本発明の第１実施の形態に係る制御基板収納ボックスのロック装置であって、一部を破断して示す正面図であり、（ａ）はロックした状態であり、（ｂ）はロック前の状態を示す図である。
【図２】本発明の第１実施の形態に係る制御基板収納ボックスのロック装置であって、ロック前の状態にあるときのロック装置を抜き出して示す斜視図である。
【図３】図２に示すロック装置の分解斜視図である。
【図４】（ａ）は本実施の形態に係る制御基板収納ボックスの平面図あり、（ｂ）は（ａ）に示す制御基板収納ボックスの側面図ある。
【図５】本発明の第２実施の形態に係る制御基板収納ボックスのロック装置を縦に切断して示す斜視図であり、（ａ）はロックした状態であり、（ｂ）はロック前の状態を示す図である。
【図６】本発明の第２実施の形態に係る制御基板収納ボックスのロック装置の正面図であり、（ａ）はロックした状態であり、（ｂ）はロック前の状態を示す図である。
【図７】図２に示すロック装置の分解斜視図である。
【発明を実施するための形態】
【００１６】
以下に、添付図面を参照して、本発明の実施の形態を詳細に説明するが、まず、図１〜図４を参照して本発明の第１実施の形態を説明する。
本実施の形態にかかる制御基板収納ボックス１は、遊技機（パチンコ台）の制御基板を収納するものであり、遊技機の内部に装着されるものである。
図４に示すように、制御基板収納ボックス１は、制御基板を収納する透明樹脂製の一方のケース３と、一方のケース３に装着する透明樹脂製の他方のケース５と、一方のケース３と他方のケース５とをロックするロック装置７とを備えている。尚、ロック装置７が収納されているケース部分９は薄肉部１１により折り曲げ等により切除可能にしてある。
【００１７】
図１〜図３に示すように、ロック装置７は、一方のケース３に設けて他方のケース５に向けて突出する係止部材１３と、他方のケース５に設けて係止部材１３を受ける第１被係止部材１５と、第１被係止部材１５との間に隙間Ｓを形成する第２被係止部材１７と、ねじ１８とを備えている。
係止部材１３は、図２及び図３に示すように円板状の基部１９に一体に形成されていると共に基部１９から略直角に突設してある。係止部材１３は金属製であり、金属板を基部１９の外周４箇所で放射状に突設した形状に打ち抜いた後、放射状部分を折り曲げて形成している。係止部材１３の材料としては、例えば、軟鉄や、アルミニウム合金等が用いられる。
図１に示すように、基部１９及び基部１９から突出する係止部材１３の基端部は一方のケース３内に埋め込まれている。
尚、係止部材１３は面を外周側及び内周側に向けた板状を成している。
【００１８】
第１被係止部材１５は、図１及び図３に示すように、有底の略円筒形状を成しており、案内部２１と、底２３と、屈曲部２５とを有しており、案内部２１は円筒の側壁である。
底２３は内周側の中央部２３ａを一方のケース３側に突設してあり、中央部２３ａから外周縁に底面が傾斜面２３ｂになっており、底２３の中央部２３ａにはねじ１８の挿通孔２６が形成されている。底２３の傾斜面２３ｂは案内部２１に対して９０度以下の角度で形成している。
屈曲部２５は、案内部２１と底２３とが成すコーナー部であり、図１に示すように、案内部２１の案内面２１ａと底２３の傾斜面２３ｂとを結ぶ傾斜面２５ａが形成されている。
【００１９】
一方、他方のケース５には、第１被係止部材１５が装着される部分には、第１被係止部材１５を収納する円筒状の凹部２７が形成されており、凹部２７の底は第１被係止部材１５の底２３の形状に合わせて内周側の中央部を高く盛り上げてある。
第２被係止部材１７は、略円板状を成し、内周側の中央部１７ａにねじ１８の挿通孔２９が形成されている。また、第２被係止部材１７は、第１被係止部材１５の底２３の傾斜面２３ｂに対向する面が傾斜面２３ｂと略平行な傾斜面１７ｂになっており、第１被係止部材１５との間に隙間Ｓをあけて配置されている。
隙間Ｓは、係止部材１３の厚みＷと略同じ厚みであり、係止部材１３が隙間Ｓに入ることが可能な間隔である。
ねじ１８は、第２被係止部材１７のねじ挿通孔２９と第１被係止部材１５のねじ挿通孔２６とに挿通して他方のケース５に固定してある。
【００２０】
次に、第１実施の形態に係るロック装置７の組み立て及び作用効果について、説明する。
ロック装置７の組み立ては、図３に示すように、一方のケース３に予め基板１９と共に係止部材１３を埋め込んでおく。各係止部材１３は他方のケース５に向けて直線状に突設してある。
他方のケース５の凹部２７に第１被係止部材１５を配置した後、第１被係止部材１５の底２３の中央部２３ａに第２被係止部１７の中央部１７ａを重ねて、ねじ１８で他方のケース５に第１被係止部材１５と第２被係止部材１７とを固定する。
これにより、図１に示すように、第１被係止部材１５の底２３の傾斜面２３ｂと、第２被係止部材１７の傾斜面１７ｂとの間に隙間Ｓが形成される。
【００２１】
上述したように、ロック装置７を各々一方のケース３と他方のケース５とに組み立てた後、ロック操作は、図１（ｂ）に示すように、他方のケース７の第１被係止部材１５に対して一方のケース３の係止部材１３を対向させて挿入する。
これにより、係止部材１３の先端部１３ｂは、案内部２１の内面２１ａに沿ってスライドし、屈曲部２５の傾斜面２５ａに案内されて曲がり、隙間Ｓに挿入されて、ロックが完了する。
【００２２】
そして、他方のケース５に対して、一方のケース３を引き離そうとした場合には、係止部材１３の曲げられた先端部１３ｂが第２被係止部材１７に掛かり抜けることがない。
係止部材１３の曲げられた先端部１３ｂは、金属製の第１被係止部材１５と第２被係止部材１７とに挟まれているので、治具を用いた不正解除が困難である。
【００２３】
この第１実施の形態によれば、係止部材１３は、ロック操作時に変形するから、突起等を設けるような複雑な形状に加工をする必要がなく、棒状又は板状という極めて簡単な形状とすることができるので、部品の製造が容易にできる。
ロック操作は係止部材１３を案内部２１に沿って挿入するだけなので、ロック操作が容易である。
一方のケース３には係止部材１３を設けているだけという簡易な構成なので、外部から治具を用いて不正操作された場合にその跡が発見しやすい。
また、第１被係止部材１５と第２被係止部材１７は、これらの間に隙間を形成だけなので、部品形状が複雑にならないから、これらの部品の製造も容易にできる。
第１被係止部材１５は有底筒状で簡易な構成であると共に、底２３の中央部２３ａに第２被係止部材１７の中央部１７ａを重ねてねじ１８で止めるだけで係止部材１３の先端部１３ｂが入り込む隙間Ｓを容易に形成することができる。
【００２４】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。
図５〜図７を参照して本発明の第２実施の形態にかかるロック装置７を説明する。
図５及び図７に示すように、係止部材１３は、金属製の板材をコ字形状に折り曲げて形成してあり、折り曲げた板材の左右の板材部分である。係止部材１３は弾性を有する金属材であり、例えば、ＳＵＳ３０１、ＳＵＳ６３１等が用いられる。係止部材１３の先端部１３ｂには係止穴１３ａが形成されている。
【００２５】
この第２実施の形態では、他方のケース５に凹部３１が形成してあり、凹部３１の側壁が案内部２１であり、凹部３１の底２３に被係止部３３が突設されている。
屈曲部２５は、案内部２１と底２３とが形成するコーナー部であり、湾曲面に形成してある。
被係止部３３の案内部２１側の側面３３ａは屈曲部２５に連続しており、且つ底２３から一方のケース３側に向けて立ち上がる湾曲面にしてある。被係止部３３は係止穴１３ａ内に入る形状としてある。
凹部３１には補助部材３５が収納されており、凹部３１に接着されている。補助部材３５は、樹脂製であり、案内部２１との間に係止部材１３を挿入する案内溝３７と、被係止部３３の上面に対向してあり係止部材１３の屈曲を制限する屈曲制限部３９が形成されている。
【００２６】
次に、この第２実施の形態のロック装置のロック操作及び作用を説明する。図５（ｂ）及び図６（ｂ）に示すように、一方のケース３と共に係止部材１３を補助部材３５の案内溝３７に挿入する。これにより、係止部材１３の先端部１３ｂが案内溝３７と案内部２１とにより案内されて進み、弾性変形により屈曲部２５で屈曲した後、被係止部３３の上面３３ａに案内されて係止部材１３の先端部１３ｂが被係止部３３を乗り越えるように更に弾性変形して屈曲しつつ進み、係止穴１３ａが被係止部３３に到達すると、弾性復帰して被係止部３３に係止する。これにより、ロックが完了する。
【００２７】
この第２実施の形態によれば、第１実施の形態と同様に、係止部材１３は、ロック操作時に変形するから、突起等を設けるような複雑な形状に加工をする必要がなく、先端部１３ｂに係止穴１３ａを形成した板材としているから、係止部材１３を極めて簡単な形状とすることができるので、部品の製造が容易に且つ安価できる。
また、金属材は係止部材１３のみであり、補助部材３５は樹脂材で形成してあるので、ロック装置を安価に製造できる。更に、部品は、係止部材１３と補助部材３５だけなので、部品点数を少なくできる。
ロック操作は係止部材１３を案内溝３７に挿入して押し込むだけなので、ロック操作が容易である。
また、他方のケース５には凹部３１を形成して、凹部３１の底２３に被係止部３３を形成する構成であるから、構成が簡易であり、製造も容易にできる。
補助部材３５には、屈曲制限部３９が形成してあるから、係止部材１３が過度に屈曲して弾性復帰できなくなるのを防止できる。
【００２８】
本発明は、前述した実施形態に限定されることなく、その要旨を逸脱しない範囲で種々変形可能である。
例えば、第１実施の形態において、係止部材１３は４個設けることに限らず、２個でも３個でも良く、数は制限されない。同様に第２実施の形態においても、係止部材１３は２個に限らず、３個でも、４個でも良く、数は制限されない。
第１実施の形態において、第１被係止部材１５及び第２被係止部材１７は、ねじ１８で固定することに限らず、他方のケース５に一体成形により固定したり、接着剤で固定するものであっても良い。
第１実施の形態において、第１被係止部材１５を別体にして設けないで、他方のケースに形成した凹部２７に案内壁２１と、底２３と、屈曲部２５とを一体に形成するものであっても良い。この場合、第１被係止部材１５の部品点数を削減して、コストダウンを図ることができる。
第２実施の形態において、補助部材３５は凹部３１に接着固定されることに限らず、ねじで固定するものであっても良い。
第２実施の形態において、他方のケース５の凹部３１には、底２３に被係止部３３を突設することに限らず、被径係止部３３を切り起こした板金を底２３に固定するものであっても良い。
第１及び第２実施の形態において、係止部材は板状にすることに限らず、棒状であっても良い。
【符号の説明】
【００２９】
１    制御基板収納ボックス
３    一方のケース
５    他方のケース
７    ロック装置
１３  係止部材
１３ａ  係止孔（係止部）
１３ｂ  先端部
１５  第１被係止部材
１７  第２被係止部材
２１  案内部
２３  底
２５  屈曲部
３３  被係止部
【図１】
2014151110.tif 000003
【図２】
2014151110.tif 000004
【図３】
2014151110.tif 000005
【図４】
2014151110.tif 000006
【図５】
2014151110.tif 000007
【図６】
2014151110.tif 000008
【図７】
2014151110.tif 000009